(57)【要約】【課題】表示画面に画像ファイル等の所要のファイル内容を表示中に、その表示画面から視線を逸らすことなく、目視しつつ、その表示画面の表示を適宜制御することができるビューワシステムを提供する。【解決手段】表示装置にファイル内容を表示するビューワシステムであって、上記ファイル内容を予め設定されたデフォルトに基づく標準画面で表示する標準画面表示手段である初期画面表示手段３ａと、上記標準画面が表示されるウインドウを複数のエリアに分割し、これらエリアに上記デフォルトを変更するコマンドをそれぞれ埋設してなるコマンド埋設画面を表示するコマンド埋設画面表示手段であるコマンド等表示手段３ｃと、上記標準画面を上記コマンド埋設画面に可逆的に切り替える画面切替手段３ｂと、上記コマンド埋設画面において所要のコマンドが選択され、デフォルトの変更量が設定されたときに、このコマンドの変更量を実行するコマンド実行手段３ｄと、を具備している。【選択図】  図３
2005174005.tif 000002
【特許請求の範囲】
【請求項１】
表示装置にファイル内容を表示するビューワシステムであって、
上記ファイル内容を予め設定されたデフォルトに基づく標準画面で表示する標準画面表示手段と、
上記標準画面が表示されるウインドウを複数のエリアに分割し、これらエリアに上記デフォルトを変更するコマンドをそれぞれ埋設してなるコマンド埋設画面を表示するコマンド埋設画面表示手段と、
上記標準画面を上記コマンド埋設画面に可逆的に切り替える画面切替手段と、
上記コマンド埋設画面において所要のコマンドが選択され、デフォルトの変更量が設定されたときに、このコマンドの変更量を実行するコマンド実行手段と、
を具備していることを特徴とするビューワシステム。
【請求項２】
上記コマンドが選択されたときに、その選択されたコマンドが埋設されているアクティブエリア上にてそのコマンド名を上記ウインドウに表示中のファイル内容上に重ねて表示するコマンド表示手段、
を具備していることを特徴とするビューワシステム。
【請求項３】
上記アクティブエリアの輪郭を所要色の枠で所要時間表示するエリア表示手段、
を具備していることを特徴とするビューワシステム。
【請求項４】
上記エリア上にマウスカーソルを移動したときに、このマウスカーソルの形状をコマンドに応じて変えるカーソル形状変更手段、
を具備していることを特徴とするビューワシステム。
【請求項５】
上記デフォルトの変更方向と変更量を、上記コマンドのドラッグ方向と移動量とにより設定し、このデフォルトの変更方向と変更量をパラメータとして上記ウインドウに表示するパラメータ表示手段
を具備していることを特徴とする請求項１〜４のいずれか１項に記載のビューワシステム。
【請求項６】
上記ファイルが画像ファイルであることを特徴とする請求項１〜５のいずれか１項に記載のビューワシステム。
【請求項７】
表示装置にファイル内容を表示するビューワシステムのプログラムであって、
上記ファイル内容を予め設定されたデフォルトに基づく標準画面で表示する標準画面表示手順と、
上記標準画面が表示されるウインドウを複数のエリアに分割し、これらエリアに上記デフォルトを変更するコマンドをそれぞれ埋設してなるコマンド埋設画面を表示するコマンド埋設画面表示手順と、
上記標準画面を上記コマンド埋設画面に可逆的に切り替える画面切替手順と、
上記コマンド埋設画面において所要のコマンドが選択され、デフォルトの変更量が設定されたときに、このコマンドの変更量を実行するコマンド実行手順と、
をコンピュータに実行させるためのプログラム。
【請求項８】
請求項７記載のプログラムを記録してなることを特徴とする記録媒体。
【発明の詳細な説明】
【技術分野】
【０００１】
本発明は例えば画像ファイルを表示装置に表示するグラフィックビューワ等に好適なビューワシステムに関する
【背景技術】
【０００２】
従来、この種のグラフィックビューワでは、デフォルト値により設定された標準画面（初期画面）を表示するウインドウの周囲に、そのデフォルト値を変更するための複数のツールを表示したツールバーを配設し、そのツールバーの所要のツールの選択操作により、表示中の画像のズームや縮小、ブライトネスやコントラストの調整、動画の停止等の表示制御を実行している（例えば非特許文献１参照）。
【非特許文献１】田中亘＆インプレス書籍編集部編「できるＷｉｎｄｏｗｓ（登録商標）９５改訂版」（株）インプレス  ２０００年７月２１日第１版  第１２刷発行
【発明の開示】
【発明が解決しようとする課題】
【０００３】
しかしながら、このような従来のビューワでは、特に動画をウインドウに表示する場合、その動画の表示中に、ツールを探す際に、その動画から視線を逸らすので、その間、表示中の画像の所要のシーンを見落とす場合がある。特に、表示画面がＤＩＣＯＭ等の医療用動画であって動作中の人体の臓器を表示する場合等では、一瞬の視線の逸らしが臓器異常の発見の見落としや誤診等につながる場合もある。
【０００４】
また、表示中の動画を全画面表示に切替えた場合には、ウインドウからツールバーが消去されてしまうので、その表示中の画像の表示を制御することができないという課題がある。
【０００５】
本発明はこのような事情を考慮してなされたもので、その目的は、表示画面に画像ファイル等の所要のファイル内容を表示中に、その表示画面から視線を逸らすことなく、目視しつつ、その表示画面の表示を適宜制御することができるビューワシステムを提供することにある。
【課題を解決するための手段】
【０００６】
本願請求項１に係る発明は、表示装置にファイル内容を表示するビューワシステムであって、上記ファイル内容を予め設定されたデフォルトに基づく標準画面で表示する標準画面表示手段と、上記標準画面が表示されるウインドウを複数のエリアに分割し、これらエリアに上記デフォルトを変更するコマンドをそれぞれ埋設してなるコマンド埋設画面を表示するコマンド埋設画面表示手段と、上記標準画面を上記コマンド埋設画面に可逆的に切り替える画面切替手段と、上記コマンド埋設画面において所要のコマンドが選択され、デフォルトの変更量が設定されたときに、このコマンドの変更量を実行するコマンド実行手段と、を具備していることを特徴とするビューワシステムである。
【０００７】
本願請求項２に係る発明は、上記コマンドが選択されたときに、その選択されたコマンドが埋設されているアクティブエリア上にてそのコマンド名を上記ウインドウに表示中のファイル内容上に重ねて表示するコマンド表示手段、を具備していることを特徴とするビューワシステムである。
【０００８】
本願請求項３に係る発明は、上記アクティブエリアの輪郭を所要色の枠で所要時間表示するエリア表示手段、を具備していることを特徴とするビューワシステムである。
【０００９】
本願請求項４に係る発明は、上記エリア上にマウスカーソルを移動したときに、このマウスカーソルの形状をコマンドに応じて変えるカーソル形状変更手段、を具備していることを特徴とするビューワシステムである。
【００１０】
本願請求項５に係る発明は、上記デフォルトの変更方向と変更量を、上記コマンドのドラッグ方向と移動量とにより設定し、このデフォルトの変更方向と変更量をパラメータとして上記ウインドウに表示するパラメータ表示手段を具備していることを特徴とする請求項１〜４のいずれか１項に記載のビューワシステムである。
【００１１】
本願請求項６に係る発明は、上記ファイルが画像ファイルであることを特徴とする請求項１〜５のいずれか１項に記載のビューワシステムである。
【００１２】
本願請求項７に係る発明は、表示装置にファイル内容を表示するビューワシステムのプログラムであって、上記ファイル内容を予め設定されたデフォルトに基づく標準画面で表示する標準画面表示手順と、上記標準画面が表示されるウインドウを複数のエリアに分割し、これらエリアに上記デフォルトを変更するコマンドをそれぞれ埋設してなるコマンド埋設画面を表示するコマンド埋設画面表示手順と、上記標準画面を上記コマンド埋設画面に可逆的に切り替える画面切替手順と、上記コマンド埋設画面において所要のコマンドが選択され、デフォルトの変更量が設定されたときに、このコマンドの変更量を実行するコマンド実行手順と、をコンピュータに実行させるためのプログラムである。
【００１３】
本願請求項８に係る発明は、請求項７記載のプログラムを記録してなる記録媒体である。
【発明の効果】
【００１４】
本発明によれば、画像ファイル等所要のファイル内容を表示中の表示画面（ウインドウ）中に、この表示画面の表示を制御する制御コマンドを埋設しているので、この表示画面から視線を逸らせずに制御コマンドを選択実行させてこの表示画面の表示を適宜制御することができる。
【発明を実施するための最良の形態】
【００１５】
以下、本発明の実施形態を添付図面に基づいて説明する。なお、複数の添付図面中、同一又は相当部分には同一符号を付している。
【００１６】
図１は本発明の一実施形態に係るビューワシステムの構成を示す模式図である。このビューワシステム１は、ビューワプログラム（ＫＡＤＡインターフェース）を記録した記録媒体の一例である、例えばＣＤ−ＲＯＭ２、このＣＤ−ＲＯＭ２を挿入させるスリットを有するＣＤ−ＲＯＭドライブを備え、このスリット内に挿入されたＣＤ−ＲＯＭのビューワプログラムをインストールさせて実行するコンピュータ本体３、このコンピュータ本体３の入力装置の一例であるキーボード４およびマウス５、出力装置の一例である表示装置６を具備している。
【００１７】
コンピュータ本体３はＣＤ−ＲＯＭ２のビューワプログラムを実行することにより機能する初期画面（標準画面）表示手段３ａ、コマンド埋設画面表示手段３ｂ、画面切替手段３ｃ、コマンド実行手段３ｄ、パラメータ表示手段３ｅを具備している。
【００１８】
図２に示すように初期画面Ｐ１は例えば医学用動画（ＤＩＣＯＭ）等の画像ファイルがコンピュータ本体３に入力されたときに、予め設定されたデフォルトにより表示されるときの画面であり、ウインドウ８に表示される。図２では例えば人間の活動中の心臓等の臓器の動作をウインドウ上の円形内で動画で表す際の一場面を示している。
【００１９】
初期画面Ｐ１は、このウインドウ８の一側方（図２では左側方）と下方とにおいてＬ字状に表示されるツールバーＴＢを配設している。このツールバーＴＢはここに表示される複数のコントロールボタン９を有し、その１つとして画面切替手段３ｃとしてのナビゲーションボタン９ａを備えている。
【００２０】
また、ツールバーＴＢはウインドウ８の下方にてシャトルリング１０、プレビューボタン１１、フレームスライダー１２がそれぞれ表示される。
【００２１】
シャトルリング１０は初期画面Ｐ１の再生速度の変更（正逆方向に任意の駒数の変更）を行うと共に、１ボタンにより撮影時での再生速度で再生するものである。
【００２２】
プレビューボタン１１は、初期画面Ｐ１の再生、停止、逆再生の他、イメージの切替と２画面同時表示時のビューのアクティブ、非アクティブの設定を行うものである。
【００２３】
フレームスライダー１２は、初期画面Ｐ１の再生状態の表示、画像の先頭フレーム出し、同最終フレーム出し、画像の区間再生設定を行うものである。
【００２４】
そして、ナビゲーションボタン９ａは、いわゆる反転スイッチであり、１回オン操作により初期画面Ｐ１を図３で示すコマンド埋設画面Ｐ２に切替える一方、２回目にオン操作すると再びコマンド埋設画面Ｐ２から初期画面Ｐ１に戻す機能を有する。
【００２５】
図３に示すようにコマンド埋設画面Ｐ２は初期画面Ｐ１を表示するウインドウ８の全体を、所要数、例えば３行３列の９個の矩形エリアｅ１〜ｅ９にそれぞれ分割し、これら各エリアｅ１〜ｅ９に、例えば９個の表示用制御コマンドｃ１〜ｃ９をそれぞれ割り当てて初期画面Ｐ１に埋設した画面からなり、制御コマンドｃ１〜ｃ９は選択されたときのみ、ウインドウ８に表示され、常時は表示されない。
【００２６】
図４は各エリアｅ１〜ｅ９にそれぞれ割り当てた表示用制御コマンドｃ１〜ｃ９の一例を一覧表により示している。例えば、第１エリアｅ１に、初期画面Ｐ１の明るさであるブライトネスまたはコントラストを変更する制御コマンドｃ１を割り当て、以下、第２エリアｅ２に初期画面Ｐ１のガンマ補正を変更する制御コマンドｃ２を、第３エリアｅ３に同フィルタを変更する制御コマンドｃ３を、第４エリアｅ４に同表示倍率を変更する制御コマンドｃ４を、第５エリアｅ５に同表示位置を変更する制御コマンドｃ５を、第６エリアｅ６に同再生速度を変更する制御コマンドｃ６を、第７エリアｅ７に同再生開始フレーム又は画像を変更する制御コマンドｃ７を、第８エリアｅ８に同表示フレーム又は表示画像を変更する制御コマンド８を、第９エリアｅ９に再生終了フレーム又は表示画像を変更する制御コマンドｃ９をそれぞれ割り当てている。但し、これら表示用制御コマンドＣ１〜Ｃ９の種類やそのエリアｅ１〜ｅ９上の割当て位置は適宜変更してもよい。
【００２７】
また、図４中、上下又は左右の表記はマウス５のカーソル（ポインタ）のドラッグ方向を示しており、例えば第１エリアｅ１のブライトネス／コントラストの制御コマンドｃ１上をクリックして選択し、そのクリック状態のままでマウスカーソルを例えば上方向にドラッグすると、初期画面Ｐ１の明るさ（ブライトネス）が増し、下方向にドラッグすると、初期画面Ｐ１の明るさが低下することを示している。
【００２８】
同様に、例えば第１エリアｅ１のブライトネス／コントラストの制御コマンドｃ１をクリックして選択し、そのクリック状態のままでマウスカーソルを例えば左方向にドラッグすると、初期画面Ｐ１のコントラストが強調され、右方向にドラッグすると、初期画面Ｐ１のコントラストが緩和されることを示している。但し、これらドラッグ方向とブライトネス／コントラスト等の制御方向は適宜変えてもよい。
【００２９】
そして、このように各エリアｅ１〜ｅ９には制御コマンドｃ１〜ｃ９を埋設しているが、ウインドウ８にてＤＩＣＯＭの動画等画像を表示しているときには、これら制御コマンドｃ１〜ｃ９を示すコマンドの名称、例えばブライトネス／コントラストやガンマ補正等はウインドウ８にて表示されていないので、ユーザはどこのエリアｅ１〜ｅ９にどの制御コマンドｃ１〜ｃ９が埋設されているのか不明であるが、これら制御コマンドｃ１〜ｃ９の割り当てエリアｅ１〜ｅ９は取扱説明書により予め知ることができる。
【００３０】
また、コマンド等表示手段３ｃは、マウスカーソルが各エリアｅ１〜ｅ９内を移動し、そのエリアｅ１〜ｅ９内の一部でクリックされて所要のエリアｅ１〜ｅ９がアクティブにされたときに、瞬間的等非常に短い時間、そのアクティブエリアの矩形輪部を例えば赤線矩形枠等により表示し、かつ制御コマンドの名称を表示中の画像上に浮かび上がらせるように表示する機能を有する。また、コマンド等表示手段３ｃはマウスカーソルによりエリアをアクティブにせずに単に複数のエリア上を移動させる場合には、そのエリアの制御コマンドに応じてマウスカーソルのアイコンを変えることにより、そのエリア内の制御コマンドの種類（または制御内容）を本システムのオペレータに知らせしめるカーソル形状変更機能を有する。
【００３１】
そして、このように所要の制御コマンドｃ１〜ｃ９の選択により初期画面Ｐ１の制御パラメータを変更すると、そのパラメータがパラメータ表示手段３ｄによりウインドウ８の左上隅部等所要箇所に表示され、かつコマンド実行手段３ｃにより、その制御コマンドが実行される。
【００３２】
図５はこのように構成されたビューワシステム１の操作手順を示すプローチャートであり、図５中、Ｓに数字を付した記号はフローチャートの各ステップを示す。
【００３３】
まず、コンピュータ本体３のＣＤ−ＲＯＭドライブのスリット内に、ビューワプログラムのＣＤ−ＲＯＭ２を挿入し、インストールした後、例えばＤＩＣＯＭ等の動画像ファイルを立ち上げると、この動画像が（図１で示す）初期画像Ｐ１で初期画面表示手段３ａによりウインドウ８にて表示される。
【００３４】
次に、Ｓ２で、この動画像を表示中に、ナビゲーションボタン９をクリックしてオン操作すると、初期画面Ｐ１が画面切替手段３ｂによりコマンド埋設画面Ｐ２に切り替えられる。そこで、次のＳ３で、このコマンド埋設画面Ｐ２を表示中のウインドウ８上にてマウス５のカーソルを移動させると、そのマウスカーソルのアイコンがコマンド等表示手段３ｃにより各エリアｅ１〜ｅ９の制御コマンドに応じて変形して各エリアｅ１〜ｅ９の制御コマンドが何であるかを知らしめ、さらに、このマウスカーソルにより所要のエリアｅ１〜ｅ９をアクティブにすると、そのアクティブエリアの輪郭が瞬間的または一時的に赤線枠等により表示されると共に、制御コマンドの名称等がコマンド等表示手段３ｃにより表示中の動画上に重ねて表示される。
【００３５】
そこで、Ｓ４で、マウスカーソルまたはキーボードカーソルにより表示中の所要の制御コマンドを選択し、このマウスカーソル等を所定の方向にドラッグすると、Ｓ５で、この選択された制御コマンドｃ１〜ｃ９が表示中のコマンド埋設画像Ｐ２の明るさ（ブライトネス）等の表示値（パラメータ）がドラッグ量に応じたパラメータ量だけ変更される。つまり、選択された制御コマンドｃ１〜ｃ９のいずれかが実行処理（Ｃ１〜Ｃ９）される。また、マウス３のスクロールホイールを回転させることにより、マウスカーソルの左右のドラッグと同じ処理を行い、マウス３の左ボタンのダブルクリックにより初期画面Ｐ１のデフォルトに戻る。または全画面表示でないときには表示されるナビゲーションボタン９のオン操作により再び初期画面Ｐ１に戻すことができる。
【００３６】
以上の繰り返しにより初期画面Ｐ１の所要の表示パラメータが適宜制御される。
【００３７】
したがって、このビューワシステム１によれば、ウインドウ８にて表示されている動画を見ながらそのウインドウ８に埋設されている所要エリアの制御コマンドｃ１〜ｃ９を選択することにより、初期画面Ｐ１の表示デフォルト値を所要量変更することができる。
【００３８】
このために、ウインドウ８にて表示されている動画から視線を逸らすことなく、表示デフォルト値を所要量変更することができる。
【００３９】
したがって、ＤＩＣＯＭ等の医学用動画等一瞬でも視線を逸らすことができないような動画の表示には非常に好適である。
【００４０】
また、マウスカーソルが複数のエリアｅ１〜ｅ９間を移動したときには、コマンド等表示手段３ｃにより各エリアｅ１〜ｅ９の輪部が赤線枠により表示され、各エリアｅ１〜ｅ９の制御コマンドｃ１〜ｃ９に応じてマウスカーソルのアイコンが変形するので、各エリアｅ１〜ｅ９に埋設された制御コマンドｃ１〜ｃ９の名称等をユーザは容易に知ることができる。
【００４１】
さらに、制御コマンドｃ１〜ｃ９による表示変更方向と表示変更量はマウスカーソルのドラッグの方向と移動量とにより制御することができるので、制御コマンドｃ１〜ｃ９の変更方向と変更量を容易に設定することができる。
【００４２】
また、制御コマンドｃ１〜ｃ９の表示パラメータ（変更方向と変更量）は動画を表示中のウインドウ８にて表示されるので、ユーザは制御コマンドｃ１〜ｃ９の実行による表示パラメータを表示画像から目を逸らすことなく、容易かつ迅速に知ることができる。
【００４３】
なお、上記実施形態では、表示装置５に表示するファイルが医学用動画ファイルのＤＩＣＯＭである場合について説明したが、本発明はこれに限定されるものではなく、表示するファイルとしては、医学用以外の動画や静止画、ＣＡＤ画像、テキストファイルでもよい。
【００４４】
また、コマンド埋設画面Ｐ２の一側方と下方とにツールバーＴＢを配設しているが、このツールバーＴＢを消去してこのツールバーＴＢ上にウインドウ８を拡大してコマンド埋設画面Ｐ２を表示する全画面表示にしてもよい。
【００４５】
これによれば、コマンド埋設画面Ｐ２を全画面表示するので、その分、表示画像の細部まで詳細表示できると共に、ツールバーＴＢが無くてもウインドウ８の各エリアｅ１〜ｅ９の制御コマンドｃ１〜ｃ９により画面Ｐ２のデフォルトを適宜制御することができる。なお、上記ウインドウ８にはサムネイルビューを設けてもよい。
【図面の簡単な説明】
【００４６】
【図１】本発明の一実施形態に係るビューワシステムの構成を示す模式図。
【図２】図１で示すビューワシステムの表示装置に表示される初期画面のテンプレートを示す図。
【図３】図１で示すビューワシステムの表示装置に表示されるコマンド埋設画面のテンプレートを示す図。
【図４】図３で示すコマンド埋設画面の複数のエリアにそれぞれ割り当てられた制御コマンドとその制御方法を記載した一覧表を示す図。
【図５】図１で示すビューワシステムの操作方法と作用を示すフローチャート。
【符号の説明】
【００４７】
１  ビューワシステム
２  ＣＤ−ＲＯＭ
３  コンピュータ本体
３ａ  初期画面表示手段
３ｂ  画面切替手段
３ｃ  コマンド等表示手段
３ｄ  コマンド実行手段
３ｅ  パラメータ表示手段
５  マウス
６  表示装置
【図１】
2005174005.tif 000003
【図２】
2005174005.tif 000004
【図３】
2005174005.tif 000005
【図４】
2005174005.tif 000006
【図５】
2005174005.tif 000007